(57)【要約】      （修正有）【課題】老人等でも携帯に便利であって紛失する危険性が少なく、非常時には首部から自然に外れて安全に使用することのでき、且つ、デザイン性にも優れたネックレスを提供する。【解決手段】個人識別コードが記載されたプレートを充填する充填部２と、当該充填部２を装着者の首部に掛けるための紐部３とを備え、前記充填部２は、円柱状で長手方向に前記プレートを充填するための充填孔２ａを設けて筒状体とする。さらに、両端に前記紐部３に係止するための第一係止部２ｂ、２ｂとして係止片を設け、前記紐部３は、両端に前記第一係止部２ｂ、２ｂを係止するための第二係止部３ａ、３ａとして係止孔を設け、前記充填部２両端の第一係止部２ｂ、２ｂを夫々前記紐部３の第二係止部３ａ、３ａに着脱可能に係止して輪状に形成した。【選択図】図１
0003176959.tif 000002
【実用新案登録請求の範囲】
【請求項１】
個人識別コードが記載されたプレートを充填する充填部と、当該充填部を装着者の首部に掛けるための紐部とを備え、
前記充填部は、円柱状で長手方向に前記プレートを充填するための充填孔を設けて筒状体とするとともに、両端に前記紐部に係止するための第一係止部を設け、
前記紐部は、両端に前記第一係止部に対応して係止可能な第二係止部を設け、
前記充填部両端の第一係止部を夫々前記紐部の第二係止部に着脱可能に係止して輪状に形成することにより、前記充填部に充填したプレートに記載された個人識別コードから装着者個人を識別可能とすることを特徴とするネックレス。
【請求項２】
前記充填部は、透明又は半透明の筒状体であることを特徴とする請求項１に記載のネックレス。
【請求項３】
前記充填部又は紐部は、マイナスイオン粒子と炭素粒子とを混入して硬化させたシリコンゴム製であることを特徴とする請求項１又は２のいずれかに記載のネックレス。
【考案の詳細な説明】
【技術分野】
【０００１】
本考案は、氏名、電話番号、住所、病院への通院暦、既住症等の個人情報にアクセスするための個人識別コードが記載されたプレートを充填することのできるネックレスに関する。
【背景技術】
【０００２】
近年、人口の高齢化や独居老人の増加に伴い、電話番号や住所等が記載されたカードを老人等に携帯させ、老人が認知症であった場合や外出先で行き倒れた場合等に、当該プレートに記載された個人情報によって老人等の身分を証明するために用いられる身分証明用のカードが提供されている。当該プレートには、電話番号や住所等の緊急連絡先の他にも、血液型、アレルギーや既住症等の病院搬送時の注意事項も記載されており、緊急時に駆けつけた救急隊員が早期処置できるように配慮されている（特許文献１）。
【０００３】
また、このような身分証明用のカードを携帯する利便性を考慮し、カードに輪状の紐部を設けてネックレス状に形成し、当該身分証明用のカードを紛失等しないように首に吊り下げておく吊り下げ用名札のようなものも提供されている（特許文献２）。
【先行技術文献】
【特許文献】
【０００４】
【特許文献１】実用新案登録第３０３０７３５号公報
【特許文献２】実用新案登録第３１４６５５７号公報
【考案の概要】
【考案が解決しようとする課題】
【０００５】
しかしながら、特許文献１に記載の技術では、上述した通り、身分証明用のカードを紛失する場合が特に認知症の老人等で多く、また、電話番号や住所といった個人情報の他にも病院搬送時の注意事項等、カードへの掲載事項が多岐であるため、前記掲載事項が増大する程にカード自体のサイズが肥大化し、老人等が携帯するには不便になるという問題があった。さらに、身分証明用のカードに、第三者から視認可能に個人情報が記載されているために、当該個人情報を他者に悪用されるという危険性もあった。
【０００６】
また、特許文献２に記載の技術では、ネックレス状に形成したことにより、老人等でも紛失する可能性は減少するものの、輪状の紐状体に吊り下げられる名札又は身分証はカード状であり、上述の通り、老人等外出時に常に携帯するものとしては不便であるという問題があった。さらに、非常時には、輪状の紐状体が老人等の首部に引っ掛かり、首部を絞め付けて窒息死させるという危険性もあった。また、老人等の装着者が紐状体に吊り下げられたカードを首部に掛けて外出するには、デザイン性が悪いという問題があった。
【０００７】
そこで、本考案は、老人等でも携帯に便利であって紛失する危険性が少なく、非常時には首部から自然に外れて安全に使用することのでき、且つ、デザイン性にも優れたネックレスを提供することを課題とした。
【課題を解決するための手段】
【０００８】
上記課題を解決するために、本考案は次のように構成した。すなわち、本考案に係る請求項１に記載のネックレスは、個人識別コードが記載されたプレートを充填する充填部と、当該充填部を装着者の首部に掛けるための紐部とを備え、前記充填部は、円柱状で長手方向に前記プレートを充填するための充填孔を設けて筒状体とするとともに、両端に前記紐部に係止するための第一係止部を設け、前記紐部は、両端に前記第一係止部に対応して係止可能な第二係止部を設け、前記充填部両端の第一係止部を夫々前記紐部の第二係止部に着脱可能に係止して輪状に形成することにより、前記充填部に充填したプレートに記載された個人識別コードから装着者個人を識別可能とすることを特徴としている。
【０００９】
また、請求項２に記載のネックレスは、前記充填部が、透明又は半透明の筒状体であることを特徴としている。
【００１０】
また、請求項３に記載のネックレスは、前記充填部又は紐部が、マイナスイオン粒子と炭素粒子とを混入して硬化させたシリコンゴム製であることを特徴と
【考案の効果】
【００１１】
本考案に係る請求項１に記載のネックレスによれば、プレートへの掲載事項を個人識別コードに特化したことにより、当該プレートを個人識別コードの１行横書きのみで細長く形成することができるのに伴って、前記充填孔及び充填部を細長く形成することができるため、当該充填部を前記紐部と同程度の細さで形成して輪状のネックレスとすることができ、老人等でも携帯に便利であり、首部に吊り下げることにより紛失する可能性も少なくなる。また、前記充填部及び紐部は、第一係止部及び第二係止部によって着脱可能に係止されているだけであるため、非常時にはネックレスの輪状が解除されて首部から自然に外れることから、老人等の装着者の首部を締め付ける危険性もなく、安全に使用することができる。
【００１２】
このように、個人識別コードを充填したネックレスを認知症や行き倒れた老人等が装着することにより、交通事故や突発的な発作等の非常時に、通報により急来した救急隊員は、老人等が装着している或いは紐部から取り外した充填部から前記プレートを取得し、当該プレートに記載された個人識別コードを当該個人識別コード読み取り用の携帯端末等で読み取って、消防署や病院等に置かれたサーバーに格納された装着者の氏名、電話番号、住所、病院への通院暦、既住症等の個人情報にアクセスすることにより、当該取得した個人情報に基づいて老人等の装着者に対して緊急時の対応を即座に行うことができる。また、前記充填部を細長く形成したことにより、前記紐部に係止した際に、両者に一体感が生じ、装着者が首部に掛けた際にもスタイリッシュでデザイン性にも優れ、老人等でも違和感なく好んで装着することができる。
【００１３】
また、請求項２に記載のネックレスによれば、透明又は半透明に形成された充填部により、充填された個人識別コードを外部から視認することができるとともに、充填部を透明又は半透明にしたことにより、前記請求項１に記載のネックレス以上にスタイリッシュでデザイン性にも優れているため、老人等でも違和感なく好んで装着することができる。
【００１４】
さらに、請求項３に記載のネックレスによれば、装着時に、前記充填部又は紐部に混入したマイナスイオン粒子がマイナスイオンを発生させてホルミシス効果を発揮し、また、前記充填部又は紐部に混入した炭素粒子が遠赤外線を発生させてジアテルミー効果を発揮することにより、免疫担当細胞郡のマクロファージ又はナチュラルキラー細胞の活性化の促進、又は、血液拡張、血流量増加、血行促進作用による動脈硬化症や高血圧症の予防という効果を得ることができ、さらに、細胞機能の活性化、新陳代謝の促進作用による生体の恒常性バランスの維持と亢進が得られ、筋肉疲労の要因である乳酸の蓄積を阻止して筋肉の緊張を緩和し、コリや筋肉痛等を和らげることができるという効果を得ることができる。このような効果により、当該ネックレスは、特に身体機能が減退する老人等にとって効果的であり、好んで装着することができる。
【図面の簡単な説明】
【００１５】
【図１】本考案に係るネックレスの構造を示す斜視図である。
【図２】当該ネックレスの充填部を示す拡大斜視図である。
【図３】当該ネックレスの使用状態を示す斜視図である。
【図４】その他実施例のネックレスの構造を示す拡大斜視図である。
【考案を実施するための形態】
【００１６】
以下、図面に基づいて本考案を具体的に説明する。まず、図１は、本考案に係るネックレス１の構造を示す斜視図であって、図２は、当該ネックレス１に係る充填部２を示す拡大斜視図である。ネックレス１は、当該ネックレス１は、装填部２及び紐部３から構成されている。当該装填部２は、ネックレス１の装着者の個人識別コードが記載されたプレート４を充填するための充填孔２ａを貫通させた細長でマカロニ状の筒状体に形成されており、その長手方向の両端には、前記紐部３に係止するための第一係止部２ｂ、２ｂとして係止片が形成されている。当該第一係止部２ｂ、２ｂの係止片は、平面三角形状であって、前記紐部３に係止するために、当該三角形状の前記充填部３に接する辺を除く残り２辺は鋸刃状に形成されている。なお、図中の個人識別コードは本実施例による例示であり、実際には、任意の文字の羅列によって表示される。
【００１７】
一方、紐部３は、前記充填部３の両端を連結して輪状のネックレス１に形成する紐状体であって、その両端には、前記第一係止部２ｂ、２ｂの係止片を係止させる第二係止部３ａ、３ａとして係止孔が形成されている。当該第二係止部３ａ、３ａの係止孔は、前記第一係止部２ｂ、２ｂの係止片の形状に対応する形状の孔で形成されており、その内周側面は、前記第一係止部２ｂ、２ｂの係止片の前記鋸刃状に対応して噛み合わせるように階段状に形成されている。
【００１８】
このように形成した充填部２及び紐部３は、前記第一係止部２ｂ、２ｂの係止片を前記第二係止部３ａ、３ａの係止孔に夫々係止することによって輪状のネックレス１に形成される。前記第一係止部２ｂ、２ｂの係止片は、前記第二係止部３ａ、３ａの係止孔から着脱可能に形成されているため、非常時に当該ネックレス１を引く何らかの力が加わった際には、充填部２及び紐部３の係止が自然に外れて輪状が解除され、輪状のネックレス１が老人等の首部に引っ掛かって首部を絞め付けて窒息死させるという危険性もなく、安全に使用することができる。
【００１９】
なお、充填部２及び紐部３は、このように着脱可能に取り付けることができれば何でもよく、前記第一係止部２ｂ、２ｂの係止片及び第二係止部３ａ、３ａの係止孔による係止に限られるものではない。また、本実施例では、第一係止部２ｂ、２ｂを係止片とし、第二係止部３ａ、３ａを係止孔として構成したが、本実施例とは逆に、第一係止部２ｂ、２ｂを係止孔として充填部２の両端に孔を設け、第二係止部３ａ、３ａを係止片として紐部３の両端に設けて、充填部２及び紐部３の両端を係止して輪状のネックレス１に形成するように構成してもよい。
【００２０】
また、図示の通り、前記充填部２及び紐部３は、プレート４に掲載する個人情報を個人識別コードに特化したことによって同程度の細さで形成されているため、両者を係止した際には一体感のある紐状に形成されることから、装着者が首部に掛けた際にもスタイリッシュでデザイン性にも優れているという効果も得ることができる。
【００２１】
また、前記充填部２及び紐部３は、マイナスイオン粒子と炭素粒子とを混入して硬化させたシリコンゴム製で形成されている。さらに、当該充填部２は、透明又は半透明のシリコンゴム製で形成されており、プレート４に記載された個人識別コードを充填部３の外観上視認することができるため、消防隊員又は救急隊員等がより早急に個人識別コードを把握することができる。なお、当該充填部２及び紐部３は、シリコンゴム製に限られず、金属製、木製、その他合成樹脂製で形成してもよく、また、その組み合わせで充填部２と紐部３とを形成してもよい。また、充填部２を、充填部２の外観から個人識別コードを視認する部分のみを透明又は半透明のシリコンゴム製で形成し、その他部分を金属製、木製、その他合成樹脂製で形成してもよい。さらに、当該充填部２を金属製、木製又は合成樹脂製の有色で外部から個人識別コードを視認できない素材で形成した場合には、当該充填部２の充填孔２ａからプレート４を取り出し、個人識別コードを把握することができる。
【００２２】
図３は、当該ネックレス１の使用状態を示す図である。上記の通り、充填部２を紐部３に係止した輪状のネックレス１を、外出先等で装着者の首部に掛けて使用する。当該紐部３は、カラフルにデザインすることも可能であり、老人等の装着者の嗜好に合ったデザインを施すこともできる。
【００２３】
当該ネックレス１のプレート４に記載された個人識別コードは、以下のようなシステムで利用される。すなわち、消防署又は病院等に載置されたサーバーに格納された装着者の氏名、電話番号、住所、病院への通院暦、既住症等の個人情報のデータベースと、消防隊員又は救急隊員等が持参する前記個人識別コードを読み取るための携帯端末と、本考案に係るネックレス１とからなるシステムであって、交通事故や突発的な発作等が発生した非常時に、通報により急来した消防隊員又は救急隊員等は、老人等が装着している前記ネックレス１の充填部２からプレート４に記載された個人識別コードを前記携帯端末によって読み取り、前記個人情報のデータベースにアクセスすることによって、非常事態に陥った老人等の前記個人情報を取得する。これにより、消防隊員又は救急隊員等は、当該取得した個人情報に基づいて老人等の装着者に対して緊急時の対応を即座に行うことができ、且つ、より適切な救命措置を施すことができる。
【００２４】
その他実施例として、本発明に係るネックレス１は、充填部２及び紐部３を以下のように構成することもできる。図４に示すように、紐部３の両端は、充填部２の両端の径よりも小さく構成され、且つ、紐部３の両端に充填部２の径に対応した径の陥没部３ｂ、３ｂが形成され、当該陥没部３ｂ、３ｂに充填部２の両端が夫々嵌合できるように形成する。当該陥没部３ｂ、３ｂの底面には、充填部２の第一係止部２ｂ、２ｂの係止片を係止するための第二係止部３ａ、３ａの係止孔が形成されるとともに、当該陥没３ｂ、３ｂの内周面には、充填部２及び紐部３の両端を係止した際に空気を抜くための空気抜き溝３ｃ、３ｃが形成される。なお、上記実施例と同様に、第一係止部２ｂ、２ｂを係止孔として形成し、第二係止部３ａ、３ａを係止片として形成してもよい。
【００２５】
このように、紐部３の両端に充填部２の両端の径に対応した径の陥没部３ｂ、３ｂを形成し、当該陥没部３ｂ、３ｂに充填部２の両端を嵌合させることにより、陥没部３ｂ、３ｂの内周面が充填部２の両端を包接するため、平常時において、充填部２の両端が紐部３から脱落することを防止することができる。また、陥没部３ｂ、３ｂの内周面に空気抜き溝３ｃ、３ｃを設けたことにより、充填部２の両端を３ｂ、３ｂに嵌合させる際に空気を抜くことができ、平常時において、陥没部３ｂ、３ｂの内部に残った空気の圧力によって充填部２の両端が紐部３から脱落することを防止することができる。
【産業上の利用可能性】
【００２６】
前記実施例では、個人識別コードを記載したプレート４を充填部２の充填孔２ａに充填したが、このような充填孔２ａを設けずに、個人識別コードを記載したプレート４を充填部２の表面に貼付してもよい。
【００２７】
また、前記プレート４には、個人識別コード以外にも、電話番号や住所等を１行又は２行の横書きで記載することができ、装着者の緊急連絡先を消防隊員や救急隊員等の救助者に知らせることもできる。
【符号の説明】
【００２８】
１    ネックレス
２    装填部
２ａ  充填孔
２ｂ  第一係止部
３    紐部
３ａ  第二係止部
３ｂ  陥没部
３ｃ  空気抜き溝
４    プレート
【図１】
0003176959.tif 000003
【図２】
0003176959.tif 000004
【図３】
0003176959.tif 000005
【図４】
0003176959.tif 000006